(57)【要約】  本発明は、アッパー（２）、およびアッパー（２）と連結されるソール（３）を含む、靴（１）、特に運動靴に関し、アッパー（２）は、靴（１）の意図された用途で着用者の脚を少なくとも部分的に取り囲む編み構造（４）を含む。靴に防水処理を施すが、湿気を、靴の内部から着用者の脚における靴の最適なフィット性と組み合わせて靴の外側に移行させることができるように、本発明は、編み構造（４）が、アッパー（２）の側面および内側においてアッパー（２）の縦方向延伸部（Ｌ）に沿って並んで配置される開口部（５、６）の第１の組を含み、第１の開口部（５、６）の両方の組が、ソール（３）の底部（７）から測定されるアッパー（２）の定められた第１の高さレベル（ｈ１）で配置され、編み構造（４）が、アッパー（２）の側面および内側においてアッパー（２）の縦方向延伸部（Ｌ）に沿って並んで配置される開口部（８、９）の第２の組を含み、第２の開口部（８、９）の両方の組が、アッパー（２）の定められた第２の高さレベル（ｈ２）で配置され、編み構造（４）の開口部（５、６、８、９）を覆う半透膜（１０）が着用者の脚と編み構造（４）との間に配置されることを特徴とする。【選択図】図３
2021521991.tif 000002
【特許請求の範囲】
【請求項１】
アッパー（２）、および前記アッパー（２）と連結されるソール（３）を含む、靴（１）、特に運動靴であって、
前記アッパー（２）は、前記靴（１）の意図された用途で着用者の脚を少なくとも部分的に取り囲む編み構造（４）を含み、
前記編み構造（４）は、前記アッパー（２）の側面において前記アッパー（２）の縦方向延伸部（Ｌ）に沿って並んで配置される開口部（５）の第１の組と、前記アッパー（２）の内側において前記アッパー（２）の前記縦方向延伸部（Ｌ）に沿って並んで配置される開口部（６）の第１の組と、を含み、前記第１の開口部（５、６）の両方の組は、前記ソール（３）の底部（７）から測定される前記アッパー（２）の定められた第１の高さレベル（ｈ１）で配置され、
前記編み構造（４）は、前記アッパー（２）の前記側面において前記アッパー（２）の前記縦方向延伸部（Ｌ）に沿って並んで配置される開口部（８）の第２の組と、前記アッパー（２）の前記内側において前記アッパー（２）の前記縦方向延伸部（Ｌ）に沿って並んで配置される開口部（９）の第２の組と、を含み、前記第２の開口部（８、９）の両方の組は、前記ソール（３）の前記底部（７）から測定される前記アッパー（２）の定められた第２の高さレベル（ｈ２）で配置され、前記第２の高さレベル（ｈ２）は前記第１の高さレベル（ｈ１）と異なり、
前記編み構造（４）の前記開口部（５、６、８、９）を覆う半透膜（１０）が前記着用者の前記脚と前記編み構造（４）との間に配置されることを特徴とする、靴（１）。
【請求項２】
前記半透膜（１０）は、前記着用者の前記脚から前記半透膜（１０）を通してかつ前記開口部（５、６、８、９）を介して前記アッパー（２）の外側への湿気および／または水蒸気の流れを可能にし、かつ、前記アッパー（２）の外側からの湿気が前記着用者の前記脚に移行することを防止することを特徴とする、請求項１に記載の靴。
【請求項３】
前記編み構造（４）は、前記アッパー（２）の前記側面において前記アッパー（２）の前記縦方向延伸部（Ｌ）に沿って並んで配置される開口部（１１）の少なくとも１つまたは複数の組と、前記アッパー（２）の前記内側において前記アッパー（２）の前記縦方向延伸部（Ｌ）に沿って並んで配置される開口部（１２）の少なくとも１つまたは複数の組と、を含み、追加の開口部（１１、１２）の両方の組は、前記ソール（３）の前記底部（７）から測定される前記アッパー（２）の定められた高さレベル（ｈ３）で配置されることを特徴とする、請求項１または２に記載の靴。
【請求項４】
前記開口部（５、６、８、９、１１、１２）は締め紐（１３）を前記開口部に通すように適応されることを特徴とする、請求項１から３のいずれか一項に記載の靴。
【請求項５】
前記半透膜（１０）は、ポリスルホン（ＰＳＵ）、ポリエーテルスルホン（ＰＥＳ）、ポリエーテルイミド（ＰＩ）、ポリテトラフルオロエチレン（ＰＴＦＥ）、またはポリアミド（ＰＡ）から成るまたはこれらを含むことを特徴とする、請求項１から４のいずれか一項に記載の靴。
【請求項６】
前記半透膜（１０）は、底部領域（１４）および最上領域（１５）において前記アッパー（２）と連結され、かつ前記開口部（５、６、８、９、１１、１２）の領域において前記アッパー（２）と連結されないことを特徴とする、請求項１から５のいずれか一項に記載の靴。
【請求項７】
前記アッパー（２）は、前記開口部（５、６、８、９、１１、１２）の少なくとも一部分を囲む補強構造（１６）を含むことを特徴とする、請求項１から６のいずれか一項に記載の靴。
【請求項８】
前記補強構造（１６）は、前記アッパー（２）の編地基材に加えられる編み構造によって実現されることを特徴とする、請求項７に記載の靴。
【請求項９】
編成された前記補強構造（１６）は、前記アッパー（２）の前記編地基材より高い密度のメッシュ、および／または前記アッパー（２）の前記編地基材の前記メッシュに加えられる追加のメッシュを有することを特徴とする、請求項８に記載の靴。
【請求項１０】
前記アッパー（２）の前記編地基材は基本肉厚（ｔ）を有し、かつ前記補強構造（１６）は増大した肉厚（Ｔ）を有することを特徴とする、請求項７から９のいずれか一項に記載の靴。
【請求項１１】
前記増大した肉厚（Ｔ）は、基本肉厚（ｔ）の、少なくとも１２０％、好ましくは、少なくとも１４０％であることを特徴とする、請求項１０に記載の靴。
【請求項１２】
補強縁部（１７）は、前記アッパー（２）のインステップ領域に配置されることを特徴とする、請求項１から１１のいずれか一項に記載の靴。
【請求項１３】
前記補強縁部（１７）の伸縮性は、前記補強縁部（１７）を超えた前記アッパー（２）の材料の伸縮性より、少なくとも２倍高い、好ましくは、少なくとも３倍高いことを特徴とする、請求項１２に記載の靴。
【請求項１４】
前記補強縁部（１７）は、前記アッパーの残りの部分と別個に製造され、かつ、好ましくは編成または縫製工程によって、この部分と連結されることを特徴とする、請求項１２または１３に記載の靴。
【請求項１５】
前記靴はサッカー靴であり、前記ソール（３）は複数のクリート（１８）を含むことを特徴とする、請求項１から１４のいずれか一項に記載の靴。
【発明の詳細な説明】
【技術分野】
【０００１】
本発明は、アッパー、および該アッパーと連結されるソールを含む、靴、特に運動靴、具体的には、サッカー靴に関し、アッパーは、靴の意図された用途で着用者の脚を少なくとも部分的に取り囲む編み構造を含む。
【背景技術】
【０００２】
従来のサッカー用履物は、耐水および防水のものが多いが、着用者に十分な通気をもたらしていない。また、着用者の脚における靴のフィット性は、このような靴にもたらされる既定の紐締めの可能性があるため満足いくものではないことが多い。
【発明の概要】
【発明が解決しようとする課題】
【０００３】
よって、本発明の目的は、靴、特に運動靴、具体的には、一般的な種類のサッカー靴を提案することであり、該靴は、防水のものであるが、湿気を靴の内部から靴の外側に移行させることを可能にする。さらに、着用者の脚における靴のフィット性は最適化されるものとする。
【課題を解決するための手段】
【０００４】
本発明によるこの目的のための解決策は、編み構造が、アッパーの側面においてアッパーの縦方向延伸部に沿って並んで配置される開口部の第１の組と、アッパーの内側においてアッパーの縦方向延伸部に沿って並んで配置される開口部の第１の組と、を含み、第１の開口部の両方の組が、ソールの底部から測定されるアッパーの定められた第１の高さレベルで配置され、該編み構造が、アッパーの側面においてアッパーの縦方向延伸部に沿って並んで配置される開口部の第２の組と、アッパーの内側においてアッパーの縦方向延伸部に沿って並んで配置される開口部の第２の組と、を含み、第２の開口部の両方の組が、ソールの底部から測定されるアッパーの定められた第２の高さレベルで配置され、第２の高さレベルが第１の高さレベルと異なり、編み構造の開口部を覆う半透膜が着用者の脚と編み構造との間に配置されることである。
【０００５】
好ましくは、半透膜は、着用者の脚から半透膜を通してかつ開口部を介してアッパーの外側への湿気および／または水蒸気の流れを可能にし、かつ、アッパーの外側からの湿気が着用者の脚に移行することを防止する。
【０００６】
編み構造は、アッパーの側面においてアッパーの縦方向延伸部に沿って並んで配置される開口部の少なくとも１つまたは複数の組と、アッパーの内側においてアッパーの縦方向延伸部に沿って並んで配置される開口部の少なくとも１つまたは複数の組と、を含むことができ、追加の開口部の両方の組は、ソールの底部から測定されるアッパーの定められた高さレベルで配置される。
【０００７】
開口部は好ましくは、締め紐を同開口部に通すように適応される。
【０００８】
好ましくは、半透膜は、ポリスルホン（ＰＳＵ）、ポリエーテルスルホン（ＰＥＳ）、ポリエーテルイミド（ＰＩ）、ポリテトラフルオロエチレン（ＰＴＦＥ）、またはポリアミド（ＰＡ）から成る、またはこれらを含む。
【０００９】
半透膜は好ましくは、底部領域および最上領域においてアッパーと連結され、かつ開口部の領域においてアッパーと連結されない。
【００１０】
アッパーは、開口部の少なくとも一部分を囲む補強構造を含むことができる。それによって、補強構造は、アッパーの編地基材に加えられる編み構造によって実現可能である。編成された補強構造は、好ましくは、アッパーの編地基材より高い密度のメッシュ、および／またはアッパーの編地基材のメッシュに加えられる追加のメッシュを有する。この概念のさらなる実施形態では、アッパーの編地基材は基本肉厚を有し、かつ補強構造は増大した肉厚を有し、該増大した肉厚は好ましくは、基本肉厚の少なくとも１２０％、具体的に好ましくは、少なくとも１４０％であることが提案される。
【００１１】
補強縁部（ｃｏｌｌａｒ）は、アッパーのインステップ領域に配置可能である。補強縁部の伸縮性は、好ましくは、補強縁部を超えたアッパーの材料の伸縮性より、少なくとも２倍高い、具体的に好ましくは、少なくとも３倍高い（すなわち、対応する材料の定められた形状を有する定められた試験片に張力（ニュートン）を加えると、伸長（ｍｍ）は、少なくとも２倍、好ましくは３倍高い）。補強縁部は好ましくは、アッパーの残りの部分と別個に製造され、好ましくは編成または縫製工程によって、この部分と連結される。
【００１２】
靴は好ましくはサッカー靴であり、この場合、ソールは複数のクリートを含む。
【００１３】
靴の提案された構造により、一方では、靴の耐水性を保証する解決策が利用可能である。他方では、履物物品は、半透膜の形態の膜層を取り入れることによって着用者の脚に通気性を与える。該膜層が編み構造と組み合わせられ、アッパーが実現される。そうすることによって、さまざまな紐締めの選択肢の可能となるため、使用者の脚における靴のカスタマイズされたフィット性が得られる。よって、提案された靴は、通気性および耐水性を有する。
【００１４】
半透膜、すなわち膜層を積層してライニング材を作ることができ、該ライニング材も多孔性である。膜層によって、湿気および水蒸気は（靴の外部へ）一方向に通過できる一方、（靴の内部への）反対方向の湿気の流れを制限する。基本的に一連の開口部を形成する開口部の種々の組によって、この湿気の移動が容易になる。靴の組み立て後の膜層の実験室内試験によって、布地に積層した膜層は、湿気管理のための適した解決策となることが分かった。該膜は縫製によって上部構成部品に取り付け可能であり、膜層に対するいかなる損傷も防止する。
【００１５】
膜は、（ソールに近い）アッパーの下端部（遠位端）からアッパーの上端部（近位縁）まで延在可能である。
【００１６】
アッパー（補強縁部は除外する）は、好ましくは、非伸縮性上部体として作られ、伸縮性補強縁部に取り付けられる。これによって、アッパーがそれ自体ではかなり堅く、著しい伸縮性はないが、比較的弾性および伸縮性がある補強縁部によって靴の使用者は靴を履くことができることが保証される。
【００１７】
提案された概念によって、ここでは、紐締めによってカスタマイズ可能な靴のフィット性に対する高まった需要を満たす解決策が存在する。編成されたアッパー構造における開口部の種々の組によって、ユーザは無数の異なる個々の位置に締め紐を位置付けることで、アッパーの特定の部位において、それぞれある程度支持し、かつ締めることができる。
【００１８】
補強構造を実現するために、開口部（穴）は、特定の編成方法を使用してアッパー部分において編成可能である。開口部の周囲の縁部は具体的に編成可能である。ここで、強力なナイロン糸束（ｂｕｎｄｙ  ｙａｒｎ）は、高い引張り強さをもたらすように穴周辺部の補強のために使用可能である。
【００１９】
このような高い引張り強さのナイロン糸はまた、編み構造の底層に加えられ得、かつさらなるナイロン糸、ポリエステル糸、ポリプロピレン糸、または編成に適した別の糸のいずれかと組み合わせ可能である。
【００２０】
アッパーは、アッパーの縦方向延伸部に沿った種々の区間で、すなわち、（先頭の）つま革、（開口部の組を有する）中央領域、および（後部の）かかと領域において構造化可能である。述べた糸はこれらの領域でも使用可能である。また、後述される糸を使用することができる。
【００２１】
アッパーは、最上層および基層を含むことができ、これらは共に編成される。
【００２２】
最上層は、３つの別個のＴＰＵコーティング糸から作られ得、これらのそれぞれは、ポリエステルフィラメント芯から成る３００デニールであり、ポリエステル芯は糸の４０％を占め、ＴＰＵコーティングは６０％を占め、１本の糸全体は、１本の糸を作成するために多くのコーティングフィラメントが１つに束ねられるようなマルチフィラメント糸として分類される。さらに、１５０デニールを有するホットメルト糸が使用可能である。
【００２３】
基層は、４本のポリエステル糸で構成可能であり、２本の糸は、編成前に撚り合わせた７５デニールのポリエステル糸のものとすることができる。よって、２×７５デニールポリエステルの２本の糸が利用可能である。さらに、４５０デニールのナイロン糸束が使用可能である。
【００２４】
具体的に、（開口部を有する）アッパーの中央区間において、１つのナイロン糸束が３本のポリエステル糸と組み合わせられる時、ここでは有益である高い引張り強さが得られる。アッパーの全ての区間にわたって、ホットメルト糸を組み合わせて繊維を１つにまとめることができる。
【００２５】
本発明の好ましい実施形態は、編み構造の上層に成形糸を取り入れる。これらの糸は、熱可塑性プラスチック材料でコーティングされたマルチフィラメントポリエステル芯を含む。熱および圧力を加えることによって、これらの糸は、これらの融点、この場合、通常１４０度〜１８０度（融点）、に達すると成形可能である。冷却後、糸は加熱工程中に加えられた型の形状を維持する。この熱活性化工程の間、糸の耐摩耗性は非活性化方法と比較して改善可能であることが分かった。つまり、クリート付き履物に必要となる十分な耐摩耗性を得るためのさらなるコーティングが不要であることを意味する。
【００２６】
アッパーの最上層は、３つの別個のＴＰＵコーティング糸を含むことができ、これらは、１つの層を形成するために共に編成される。
【００２７】
半透膜はそれ自体既知であり、例えば、「Ｇｏｒｅ−Ｔｅｘ」膜として既知である。ここで、ポリテトラフルオロエチレン（ＰＴＦＥ）が膜用の材料として使用されることが多い。この材料の細孔によって水蒸気の通過が可能になる。しかしながら、液体水分子はより大きいため、膜を通過できない。
【００２８】
図面において、本発明の一実施形態が示されている。
【図面の簡単な説明】
【００２９】
【図１】本発明によるサッカー靴の側面図である。
【図２】図１のものと同様の靴のサッカー靴の平面図である。
【図３】図２による靴の断面Ａ−Ａを示す図である。
【図４】図３による細部「Ｘ」を示す図である。
【図５】図４による視界「Ｃ」を示す図である。
【図６ａ】アッパーおよびアッパーのある特定の部分の作成を示す編成工程の異なる縫製を概略的に示す図である。
【図６ｂ】アッパーおよびアッパーのある特定の部分の作成を示す編成工程の異なる縫製を概略的に示す図である。
【図６ｃ】アッパーおよびアッパーのある特定の部分の作成を示す編成工程の異なる縫製を概略的に示す図である。
【図６ｄ】アッパーおよびアッパーのある特定の部分の作成を示す編成工程の異なる縫製を概略的に示す図である。
【発明を実施するための形態】
【００３０】
図１において、サッカー靴である靴１が示されており、該靴は、アッパー２、およびアッパー２と連結されるソール３を有する。ソール３は、底部７、およびソール３の底部側に配置される複数のクリート１８を有する。アッパー２は、運動靴の製造の分野では周知である編み構造４から作られる。編み構造４は補強縁部１７と連結される。また、補強縁部１７は編成工程によって作られた後、編み構造４と連結される。編成または縫製工程によって連結が実行可能であり、また、（接着または熱接着のような）他の連結方法も可能である。
【００３１】
靴１は、図２において平面図で示され、図３は図２による断面Ａ−Ａを示す。図１による靴１および図２による靴は同一ではないが非常に類似していることは留意されるべきである。
【００３２】
図１〜図３の概要から分かるように、編み構造４は、アッパー２の側面においてアッパー２の縦方向延伸部Ｌに沿って並んで配置される開口部５の第１の組を含み、また、アッパー２の内側においてアッパーの縦方向延伸部Ｌに沿って並んで配置される開口部６の第１の組を有する。第１の開口部５および開口部６の両方の組は、ソール３の底部７から測定されるアッパー２の定められた第１の高さレベルｈ１（図３を参照）で配置される。
【００３３】
さらに、編み構造４は、アッパー２の側面においてアッパー２の縦方向延伸部Ｌに沿って並んで配置される開口部８の第２の組と、アッパー２の内側においてアッパー２の縦方向延伸部Ｌに沿って並んで配置される開口部９の第２の組と、を含み、第２の開口部８および開口部９の両方の組は、ソール３の底部７から測定されるアッパー２の定められた第２の高さレベルｈ２（図３を参照）で配置される。第２の高さレベルｈ２は第１の高さレベルｈ１と異なっている。
【００３４】
各開口部の組の縦方向延伸部Ｌが実質的に靴全体の縦方向延伸部に対応するが、これと同一ではないことは言及されるべきである。図１において見ることができるように、縦方向延伸部Ｌの図示された方向は、水平方向にわずかに傾斜している。多くの場合、傾斜角はかなり小さい（１０度を下回る）。この場合、単一の開口部５、６、８、９は、編み構造の外面に沿った図示される方向Ｌに沿って、基本的には水平方向に、列を成して順々に続いている。この場合、各高さレベルｈ１、ｈ２は容易に判断され得る。示される、もっと傾斜した縦方向の場合、高さレベルｈ１、ｈ２は、開口部５、６、８、９の列がこのような開口部の隣接する列より上または下に配置されるように理解されるものとする。このことは、図３からかなり明確に明らかになる。
【００３５】
示される実施形態の場合のように、アッパーの、側面における開口部１１の第３の組、および内側における開口部１２の第３の組が配置される時に同じことが当てはまる（図２および図３を参照。図１では開口部のさらなる第４の組が示されるが図示されていない）。
【００３６】
さらに、これは、図３において最も良く見ることができるように、編み構造４の開口部５、６、８、９を覆う半透膜１０が着用者の脚と編み構造４との間に配置される。
【００３７】
アッパー２の側面および内側における開口部５、６、８、９、１１、１２の少なくとも２列の配置により、図１に具体的に示されるように、締め紐１３を柔軟に個々に通すことを可能にする一連の開口部が作成される。締め紐１３は、個々に揃えられた開口部を通して案内されることで、着用者の脚における靴の最も適切で便宜的なフィット性を得ることができる。図１において、締め紐１３がアッパー２の外面に沿ってどのように案内されるのか、および締め紐が編み構造４より下に（点線）どのように案内されるのかを見ることができる。そのように、靴の個々の紐締めが実現可能である。
【００３８】
他方では、膜１０は、図３に示されるように、アッパーの底部領域１４および最上領域１５のみにおいて編み構造４で固定される（例えば、接着または熱接着される）。膜１０はまた、アッパー２の前足領域およびかかと領域に固定（例えば、接着または熱接着）可能である。しかしながら、開口部５、６、８、９、１１、１２の種々の組によって形成される配列では、膜１０は、述べられたような、締め紐１３を通すことを可能にするために、編み構造４と連結されない。これは図３に示されている。
【００３９】
開口部５、６、８、９、１１、１２は、通常編み構造４において円形または長円形の開口として設計される。最大直径は、通常３ｍｍ〜７ｍｍ、好ましくは、４ｍｍ〜６ｍｍである。縦方向延伸部Ｌに沿った２つの開口部５、６、８、９、１１、１２の間の距離は、通常３ｍｍ〜７ｍｍ、好ましくは、４ｍｍ〜６ｍｍである。１高さレベルｈ１、ｈ２、ｈ３（図３を参照）の間の距離は、通常８ｍｍ〜１２ｍｍ、好ましくは、９ｍｍ〜１１ｍｍである。方向Ｌに沿った開口部の１つの組は、好ましくは７〜１４の開口部を有する。また、開口部の５組までは、アッパー２の側面および内側両方において配置可能である。
【００４０】
これは、精密に揃えられた最適な紐締め用開口部が可能となるだけではない。さらには、開口部の整列により、蒸気を、靴の内部から膜１０を通して靴の外部に逃すことができるように開口部の十分な領域が得られる。
【００４１】
開口部５、６、８、９、１１、１２の高い機械的安定性を得るために、開口部５、６、８、９、１１、１２を形成する編み構造の縁部は補強可能である。これは図４および図５に示されている。編み構造４の基材の肉厚はｔで示されている。述べられた、開口部の縁部領域では、ここで機械的安定性を高めるために増大させた肉厚Ｔが提供可能である。肉厚Ｔは肉厚ｔの１２０％以上とすることができる。そのように、補強構造１６が得られる。
【００４２】
増大させた肉厚は、開口部の周縁に沿った上記の領域において追加のメッシュが編成される編成工程によってもたらされ得る。メッシュの密度もここでは増大させることが可能である。
【００４３】
態様の具体的な好ましい実施形態は下記になる。開口部の周縁は、例えば、追加のまたはより密度が高いメッシュによって、述べられたように補強可能である。熱可塑性を有する糸または糸の組み合わせは、編成工程に使用可能である。この場合、編み構造の表面を、（アイロンがけ工程のような）加熱工程によって靴に装着する前に平らにすることが可能である。この場合、編み構造の外面は平坦になる（すなわち、肉厚Ｔより大きくならない）が、開口部の周囲の領域における材料は、圧縮され機械的安定性が高くなる。
【００４４】
編み構造４の外面はさらに、コーティング可能である、または印刷を加えることができる。
【００４５】
編成されたアッパー４はまた、補強用リブなどのような表面構造を備えることができる。これは具体的には、ここではサッカー靴を補強するために前足領域で考慮に入れられ得る。
【００４６】
編み構造４の好ましい実施形態では、２つの層、すなわち、アッパーの外面に配置される最上層および着用者の脚に面する底層が考案される。最上層は、熱可塑性プラスチック材料でコーティングされた糸から作られ得、これらの糸は外部がコーティングされたマルチフィラメント芯を含有する。よって、それらの糸は、熱および圧力を加えることによって溶融可能である。これらの糸は、十分な耐摩耗性をもたらすための追加のフィルムコーティングを必要としない。編み構造４の底層は、好ましくは、最低で２つの異なる糸タイプ、好ましくは、ポリエステルおよびナイロン束状から成り、これによって高い引張り強さがもたらされる。
【００４７】
アッパー２の編成技法に関して、（編み機における針による糸の案内を概略的に示す）図６ａ〜図６ｄには、本発明の好ましい実施形態が示されている。
【００４８】
一般に、編成構造４に対して２つの層構造、すなわち、最上層および基（底）層が与えられる。上層および基層の編成のために、図６ａに示されるように、平坦な編み組織が作成される。図６ｄに示されるような連結ステッチを使用して、最上層および底層を連結する。そうすることによって、図１の「Ｄ」によって示されるように、開口部のない領域に編み構造４が作成される。
【００４９】
開口部５、６、８、９、１１、１２の縁部を作成するために、異なる編成技法が使用される。図６ｂに示されるようなロックステッチは、図４の「Ｅ」によって示されるように、穴構造の後縁部で使用される。しかしながら、図４の「Ｆ」によって示されるように、穴構造の前縁部においてロックステッチが使用される。
【００５０】
編成工程は、対応する編成プログラムによって編み機において電子的に制御される。ここで、穴構造の後縁部および前縁部に対するロックステッチは、開口部をそれ自体編成するために（開口部を作成するためのフライステッチ、すなわち、この工程ではフックで留めない）および平坦な編み組織を作成するために同様にプログラミングされる。
【００５１】
膜１０は、別の織物構造（キャリア構造）に積層可能であり、かつ縫製工程によって編み構造４に付けられ得る。
【００５２】
膜１０および膜１０の編み構造４への取り付けの具体的に好ましい実施形態は、下記のとおりである。
【００５３】
膜１０はそれ自体、上記のように、好ましくは、別個の（織物）構造（キャリア構造）に積層される。膜１０はそれ自体、好ましくは、０．０１５ｍｍ〜０．０２５ｍｍ、具体的に好ましくは０．０２ｍｍの肉厚を有し、これは、クリート付き履物物品の使用に関して、使用中の履物に対して物理的に必要となるため、かなり小さい。
【００５４】
よって、膜を（織物）構造（キャリア構造）と積層して機械的安定性を向上させる。そうすることによって、（織物）キャリア構造との積層済み膜は、水蒸気の通過を可能にするための開口部を有する保護上層（編み構造４）の下に緩く位置付け可能である。
【００５５】
単一の層膜１０は、好ましくは、２４時間で６００〜８００ｇ／ｍ2の、好ましくは、２４時間で７００ｇ／ｍ2の透湿性を有する。（編み）構造（キャリア構造）は、（編み）構造および膜１０の積層が、２４時間で４５０〜５５０ｇ／ｍ2の、好ましくは、２４時間で５００ｇ／ｍ2の透湿性を有するように選定される。
【００５６】
ベンチマーク試験として、クリート付き履物にとって典型的な構成である、ホットメルトによるＴＰＵスキンが地組織に加えられ得、この試料の通気性および防水レベルが膜１０を積層させた同じ織物と比較される。これらの材料パッケージの両方が、完成した靴に取り入れられて、組立工程中のいずれの加熱工程および張り合わせ工程にも役立つ。
【００５７】
試料はＡＳＴＭ  Ｅ９６−９５  ＢＷ（２３度、相対湿度５０％）標準を使用して試験される（水蒸気透過に対する試験）。
【００５８】
上記の好ましい構造、すなわち、（編成された）キャリア構造上の膜１０から成る積層を使用することによって、提案された構造の明確な利益がもたらされる。ホットメルトによる一般的なＴＰＵスキンと比較して提案された膜の積層を使用する時、平均で通気性は７７０％高くなることが言える。
【００５９】
アッパー２とソール３との間の連結は、全ての既知の技法によって行われ得る。
【００６０】
靴の組み立て工程中、フルボードラスト技法は、ハーフボードラスト技法およびハーフストローベル技法としても同様に利用できる。
【００６１】
要約すれば、提案されたクリート付き履物部品は、複数の種々の糸フィラメントを組み合わせる編み構造を含む。編成された上部構成部品は、多種多様な紐締めの組み合わせを可能にする複数の開口部を含む。アッパーの側部領域および内側領域における開口部は、靴の内部への空気流を可能にする。内部のライニング構成は、通気性および耐水性がある膜に積層されたライニング材の組み合わせである。内層のライニング構成は、縫製によって、編み構造の近位端および遠位端において編成された外部構成部品に取り付けられる。この取り付け方法によって、膜層への損傷が回避される。
【００６２】
アッパーは好ましくは、２つの構成部品、すなわち、アッパーの基本部分および（別個に）編成された補強領域から成る。補強縁部は、着用者の脚を受けるための伸縮性開口部を提供するためにポリエステルおよびスパンデックス糸を含む。補強縁部は、要件に応じてスパンデックス糸と撚り合わせた種々の糸を含むことができる。この伸縮性補強縁部は、非伸縮性アッパー部分に連結される。アッパーのこの非伸縮性部分は、２つの層において編成されるさまざまな糸を含む。最上層は単一の糸のタイプから成り得、底層は上部構成部品に強度を与えるために種々の糸タイプを含むことができる。
【符号の説明】
【００６３】
１  靴
２  アッパー
３  ソール
４  編み構造
５  開口部の第１の組（側部）
６  開口部の第１の組（内側）
７  ソールの底部
８  開口部の第２の組（側部）
９  開口部の第２の組（内側）
１０  半透膜
１１  開口部のさらなる組（側部）
１２  開口部のさらなる組（内側）
１３  締め紐
１４  アッパーの底部領域
１５  アッパーの最上領域
１６  補強構造
１７  補強縁部
１８  クリート
Ｌ  縦方向延伸部
ｈ１  第１の高さレベル
ｈ２  第２の高さレベル
ｈ３  第３の高さレベル
ｔ  アッパーの基材の肉厚
Ｔ  補強構造の肉厚
【図１】
2021521991.tif 000003
【図２】
2021521991.tif 000004
【図３】
2021521991.tif 000005
【図４】
2021521991.tif 000006
【図５】
2021521991.tif 000007
【図６ａ】
2021521991.tif 000008
【図６ｂ】
2021521991.tif 000009
【図６ｃ】
2021521991.tif 000010
【図６ｄ】
2021521991.tif 000011
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
アッパー（２）、および前記アッパー（２）と連結されるソール（３）を含む、靴（１）、特に運動靴であって、
前記アッパー（２）は、前記靴（１）の意図された用途で着用者の脚を少なくとも部分的に取り囲む編み構造（４）を含み、
前記編み構造（４）は、前記アッパー（２）の側面において前記アッパー（２）の縦方向延伸部（Ｌ）に沿って並んで配置される開口部（５）の第１の組と、前記アッパー（２）の内側において前記アッパー（２）の前記縦方向延伸部（Ｌ）に沿って並んで配置される開口部（６）の第１の組と、を含み、前記第１の開口部（５、６）の両方の組は、前記ソール（３）の底部（７）から測定される前記アッパー（２）の定められた第１の高さレベル（ｈ１）で配置され、
前記編み構造（４）は、前記アッパー（２）の前記側面において前記アッパー（２）の前記縦方向延伸部（Ｌ）に沿って並んで配置される開口部（８）の第２の組と、前記アッパー（２）の前記内側において前記アッパー（２）の前記縦方向延伸部（Ｌ）に沿って並んで配置される開口部（９）の第２の組と、を含み、前記第２の開口部（８、９）の両方の組は、前記ソール（３）の前記底部（７）から測定される前記アッパー（２）の定められた第２の高さレベル（ｈ２）で配置され、前記第２の高さレベル（ｈ２）は前記第１の高さレベル（ｈ１）と異なり、
前記編み構造（４）の前記開口部（５、６、８、９）を覆う半透膜（１０）が前記着用者の前記脚と前記編み構造（４）との間に配置され、前記アッパー（２）は、前記開口部（５、６、８、９、１１、１２）の少なくとも一部分を囲む補強構造（１６）を含み、前記補強構造（１６）は、前記アッパー（２）の編地基材に加えられる編み構造によって実現されることを特徴とする、靴（１）。
【請求項２】
前記半透膜（１０）は、前記着用者の前記脚から前記半透膜（１０）を通してかつ前記開口部（５、６、８、９）を介して前記アッパー（２）の外側への湿気および／または水蒸気の流れを可能にし、かつ、前記アッパー（２）の外側からの湿気が前記着用者の前記脚に移行することを防止することを特徴とする、請求項１に記載の靴。
【請求項３】
前記編み構造（４）は、前記アッパー（２）の前記側面において前記アッパー（２）の前記縦方向延伸部（Ｌ）に沿って並んで配置される開口部（１１）の少なくとも１つまたは複数の組と、前記アッパー（２）の前記内側において前記アッパー（２）の前記縦方向延伸部（Ｌ）に沿って並んで配置される開口部（１２）の少なくとも１つまたは複数の組と、を含み、追加の開口部（１１、１２）の両方の組は、前記ソール（３）の前記底部（７）から測定される前記アッパー（２）の定められた高さレベル（ｈ３）で配置されることを特徴とする、請求項１または２に記載の靴。
【請求項４】
前記開口部（５、６、８、９、１１、１２）は締め紐（１３）を前記開口部に通すように適応されることを特徴とする、請求項１から３のいずれか一項に記載の靴。
【請求項５】
前記半透膜（１０）は、ポリスルホン（ＰＳＵ）、ポリエーテルスルホン（ＰＥＳ）、ポリエーテルイミド（ＰＩ）、ポリテトラフルオロエチレン（ＰＴＦＥ）、またはポリアミド（ＰＡ）から成るまたはこれらを含むことを特徴とする、請求項１から４のいずれか一項に記載の靴。
【請求項６】
前記半透膜（１０）は、底部領域（１４）および最上領域（１５）において前記アッパー（２）と連結され、かつ前記開口部（５、６、８、９、１１、１２）の領域において前記アッパー（２）と連結されないことを特徴とする、請求項１から５のいずれか一項に記載の靴。
【請求項７】
編成された前記補強構造（１６）は、前記アッパー（２）の前記編地基材より高い密度のメッシュ、および／または前記アッパー（２）の前記編地基材の前記メッシュに加えられる追加のメッシュを有することを特徴とする、請求項１から６のいずれか一項に記載の靴。
【請求項８】
前記アッパー（２）の前記編地基材は基本肉厚（ｔ）を有し、かつ前記補強構造（１６）は増大した肉厚（Ｔ）を有することを特徴とする、請求項１から７のいずれか一項に記載の靴。
【請求項９】
前記増大した肉厚（Ｔ）は、基本肉厚（ｔ）の、少なくとも１２０％、好ましくは、少なくとも１４０％であることを特徴とする、請求項８に記載の靴。
【請求項１０】
補強部（１７）は、前記アッパー（２）のインステップ領域に配置されることを特徴とする、請求項１から９のいずれか一項に記載の靴。
【請求項１１】
前記補強部（１７）の伸縮性は、前記補強部（１７）を超えた前記アッパー（２）の材料の伸縮性より、少なくとも２倍高い、好ましくは、少なくとも３倍高いことを特徴とする、請求項１０に記載の靴。
【請求項１２】
前記補強部（１７）は、前記アッパーの残りの部分と別個に製造され、かつ、好ましくは編成または縫製工程によって、この部分と連結されることを特徴とする、請求項１０または１１に記載の靴。
【請求項１３】
前記靴はサッカー靴であり、前記ソール（３）は複数のクリート（１８）を含むことを特徴とする、請求項１から１２のいずれか一項に記載の靴。
【国際調査報告】
2021521991.tif 000012
2021521991.tif 000013
2021521991.tif 000014